(57)【要約】【課題】より迅速に移動できるようにするとともに、より狭い設置空間に設置できるようにする。【解決手段】利用者は、入り口としての開口部１２０から撮影空間２９１に入場し、撮影空間２９１において撮影作業を行う。撮影作業が終了すると、利用者は、編集空間２９２への入り口としての開口部２９３を通って編集空間２９２に入場する。利用者は、プリンタが内蔵された筐体１７１を椅子として利用し、編集ユニット１６９を用いて編集作業を行う。そして、利用者は、筐体１７１に設けられたシール紙排出口から排出されたシール紙を受け取って、編集空間２９２から退出する。本発明は、例えば、ゲームセンター等に設置される写真シール作成装置に適用することができる。【選択図】図１０
2007328230.tif 000002
【特許請求の範囲】
【請求項１】
被写体としての利用者を撮影する撮影手段と、
撮影により得られた撮影画像に対する編集を行うための第１の編集空間と、
前記第１の編集空間に配置されている第１の筐体に設けられ、前記撮影画像に対する編集を行うための第１の編集手段と、
前記第１の編集空間に配置されている第２の筐体であって、前記第１の筐体とは異なる第２の筐体内に配置され、編集された前記撮影画像を写真シールに印刷する第１の印刷手段と
を備える写真シール作成装置。
【請求項２】
前記第２の筐体における、前記第１の編集空間からの出口側の側面には、印刷された前記写真シールが排出されるシール紙排出口が設けられている
請求項１に記載の写真シール作成装置。
【請求項３】
前記第２の筐体は、前記第１の編集手段を利用して前記撮影画像に対する編集作業を行う前記利用者に利用される椅子として形成されている
請求項１に記載の写真シール作成装置。
【請求項４】
前記撮影手段が設けられ、前記被写体を撮影するための撮影空間と、
撮影により得られた前記撮影画像に対する編集を行うための第２の編集空間と、
前記第２の編集空間に配置されている第３の筐体に設けられ、前記撮影画像に対する編集を行うための第２の編集手段と、
前記第２の編集空間に配置され、前記第２の編集手段を利用して前記撮影画像に対する編集作業を行う前記利用者に利用される椅子として形成されている第４の筐体であって、前記第３の筐体とは異なる第４の筐体内に配置され、編集された前記撮影画像を写真シールに印刷する第２の印刷手段と
をさらに備える請求項３に記載の写真シール作成装置。
【請求項５】
前記第１の編集空間および前記第２の編集空間は、前記撮影空間に隣接して設けられ、
前記撮影空間には、前記利用者が前記撮影空間から前記第１の編集空間に移動するときに通る第１の開口部と、前記利用者が前記撮影空間から前記第２の編集空間に移動するときに通る第２の開口部とが設けられ、
前記撮影空間への入り口、前記第１の編集空間からの出口、および前記第２の編集空間からの出口が、前記写真シール作成装置の同じ側面に設けられている
請求項４に記載の写真シール作成装置。
【発明の詳細な説明】
【技術分野】
【０００１】
本発明は写真シール作成装置に関し、特に、設置空間をより狭くするとともに、利用者がより迅速に移動することができるようにした写真シール作成装置装置に関する。
【背景技術】
【０００２】
従来、被写体としての利用者を撮影して得られた画像を、予め用意されたフレーム画像、スタンプ画像、または手書きの線画像の落書き入力画像と合成する編集処理を行い、編集処理が施された画像をシール紙に印刷して利用者に提供する写真シール作成装置が知られている。
【０００３】
このような写真シール作成装置には、利用者が撮影作業を行うための撮影空間と、利用者が撮影された画像に対する編集作業を行うための編集空間とが設けられている。利用者は、撮影空間において撮影作業を行い、その後、撮影空間から編集空間に移動して、編集空間において編集作業を行う。そして、利用者が、写真シール作成装置から排出されてくるシール紙を受け取ると写真シール作成ゲームは終了する。
【０００４】
近年では、利用者の回転率の向上を図るため、１つの撮影空間に対して２つの編集空間が設けられている写真シール作成装置もある。そのような写真シール作成装置として、図１に示すように、２つの編集空間が隣接して設けられているものがある（例えば、特許文献１参照）。
【０００５】
図１に示す写真シール作成装置では、１つの撮影空間１１に対して、互いに隣接する２つの編集空間１２および編集空間１３が設けられている。これらの編集空間１２および編集空間１３は、撮影空間１１に隣接する位置に設けられている。また、写真シール作成装置には、編集空間１２および編集空間１３に隣接して、印刷空間１４が設けられている。
【０００６】
撮影空間１１には、図中、左右に写真シール作成装置の外部から撮影空間１１に入場または退出するための出入り口となる開口部が設けられている。また、編集空間１２は図中、左側および上側が開口されており、編集空間１３は図中、右側および上側が開口されている。
【０００７】
利用者は、写真シール作成ゲームを行う場合、撮影空間１１に入場して撮影を行い、その後、一旦撮影空間１１の外、すなわち写真シール作成装置の外に出てから、編集空間１２または編集空間１３に入場して編集作業を行う。そして、さらに利用者は、編集空間１２または編集空間１３から写真シール作成装置の外に出て印刷空間１４に移動し、排出されてくるシール紙を受け取る。
【０００８】
また、写真シール作成装置には、図２に示すように、撮影空間３１の図中、上下に編集空間３２および編集空間３３が隣接して設けられている写真シール作成装置もある（例えば、特許文献２参照）。この写真シール作成装置には、撮影空間３１の右側に印刷空間３４が設けられている。
【０００９】
撮影空間３１には、図中、左右に写真シール作成装置の外部から撮影空間３１に入場または退出するための出入り口となる開口部が設けられている。また、編集空間３２は図中、左右および上側が開口されており、編集空間３３は図中、左右および下側が開口されている。
【００１０】
利用者は、写真シール作成ゲームを行う場合、撮影空間３１に入場して撮影を行ってから撮影空間３１の外に出て、編集空間３２または編集空間３３に入場して編集作業を行う。そして、利用者は、編集空間３２または編集空間３３から写真シール作成装置の外に出て印刷空間３４に移動し、排出されてくるシール紙を受け取る。
【００１１】
さらに、写真シール作成装置には、図３に示すように、撮影を行うためのカメラ、編集処理を行うための編集ユニット、画像をシール紙に印刷するプリンタなどが設けられた筐体５１を囲むように、筐体５１の側面に隣接して撮影空間５２、編集空間５３、および編集空間５４が設けられているものもある（例えば、特許文献３参照）。
【００１２】
この写真シール作成装置では、筐体５１の図中、下側の側面に隣接して撮影空間５２が設けられており、撮影空間５２は、その撮影空間５２の図中、左右および下側に設けられたカーテンにより写真シール作成装置の外部と仕切られている。
【００１３】
また、筐体５１の図中、左側および右側のそれぞれの側面に隣接して、編集空間５３および編集空間５４が設けられている。編集空間５３は、図中、上下および左側に設けられたカーテンにより写真シール作成装置の外部と仕切られており、編集空間５４は、図中、上下および右側に設けられたカーテンにより写真シール作成装置の外部と仕切られている。
【００１４】
利用者は、写真シール作成ゲームを行う場合、撮影空間５２において撮影を行い、その後、一旦撮影空間５２の外に出てから、編集空間５３または編集空間５４に入場して編集作業を行う。そして、編集作業を行った編集空間５３または編集空間５４において、排出されてくるシール紙を受け取る。
【００１５】
さらに、写真シール作成装置には、図４に示すように、撮影空間７１の図中、上側に編集空間７２が隣接して設けられている写真シール作成装置もある（例えば、特許文献４参照）。この写真シール作成装置には、編集空間７２の右側に印刷空間７３が設けられている。
【００１６】
撮影空間７１には、図中、左右に写真シール作成装置の外部から撮影空間７１に入場または退出するための出入り口となる開口部が設けられている。また、編集空間７２は図中、左右および上側が開口されており、編集空間７２には、編集処理を行うための編集ユニットが設けられた筐体７４と、画像をシール紙に印刷するプリンタが設けられた筐体７５とが隣接するように配置されている。
【００１７】
利用者は、写真シール作成ゲームを行う場合、撮影空間７１に入場して撮影を行ってから撮影空間７１の外に出て、編集空間７２に入場して編集作業を行う。そして、利用者は、編集空間７２から写真シール作成装置の外に出て印刷空間７３に移動し、排出されてくるシール紙を受け取る。
【００１８】
さらに、また、撮影空間にカメラ、編集ユニット、およびプリンタが設けられた筐体が配置され、その筐体に隣接して編集空間が設けられている写真シール作成装置もある（例えば、特許文献５参照）。利用者は、写真シール作成ゲームを行う場合、撮影空間に入場して撮影を行ってから撮影空間の外に出て、さらに編集空間に入場して編集作業を行う。そして、利用者は、編集空間において排出されてくるシール紙を受け取る。
【００１９】
【特許文献１】特許第３７６２９３０号公報
【特許文献２】特許第３７０３４７４号公報
【特許文献３】特許第３４０９２６０号公報
【特許文献４】特開２００５−９１９３７号公報
【特許文献５】特許第３４１８３８７号公報
【発明の開示】
【発明が解決しようとする課題】
【００２０】
しかしながら、上述した技術では、撮影するためのカメラなどが設けられた筐体に隣接して、プリンタおよび編集ユニットが設けられた筐体が配置されていたり、１つの筐体にカメラ、プリンタ、編集ユニットなどが設けられていたりして写真シール作成装置の筐体が大きくなってしまうため、写真シール作成装置を狭い空間に設置することは困難であった。
【００２１】
また、特許文献１、特許文献２、および特許文献４に開示されている写真シール作成装置では、シール紙を受け取るための印刷空間が、撮影空間または編集空間とは異なる空間として写真シール作成装置の外に設けられているため、シール紙を受け取るために写真シール作成装置の外で滞留する利用者は、他の利用者の移動の妨げとなり、利用者の回転率が低下する恐れがあった。さらに、写真シール作成装置の外にシール紙を受け取るための印刷空間を設ける必要があるため、写真シール作成装置自体が大きくなってしまい、写真シール作成装置を狭い空間に設置することが困難であった。
【００２２】
さらに、特許文献１乃至特許文献４に開示されている写真シール作成装置では、撮影または編集を行うための各空間がカーテン等で仕切られて独立して設けられているので、利用者が、撮影または編集を行うための１つの空間から他の空間に移動しようとする場合、利用者は、一旦自分のいる空間から写真シール作成装置の外部に出なければならず、ゲームの雰囲気や流れが中断してしまう恐れがあった。
【００２３】
さらに、また、特許文献１および特許文献３に開示されている写真シール作成装置では、利用者が写真シール作成装置に出入りする空間を確保するためには、写真シール作成装置全体の２つの側面または３つの側面を開放しておかなければならない。すなわち、写真シール作成装置の２つの側面または３つの側面において、利用者が撮影または編集を行う各空間に出入りするために必要な空間を確保しなければならなかった。
【００２４】
さらに、また、特許文献４および特許文献５に開示されている写真シール作成装置では、１つの撮影空間に対して１つの編集空間しか設けられていないので、１つの写真シール作成装置では、２つのグループの利用者までしか同時にゲームを行うことができないので、１つの撮影空間に対して２つの編集空間が設けられた写真シール作成装置と比べて利用者の回転率が低くなってしまうため、収益率が低下してしまう恐れがあった。
【００２５】
本発明は、このような状況に鑑みてなされたものであり、利用者がより迅速に移動できるようにするとともに、より狭い設置空間に写真シール作成装置を設置することができるようにするものである。
【課題を解決するための手段】
【００２６】
本発明の一側面の写真シール作成装置は、被写体としての利用者を撮影する撮影手段と、撮影により得られた撮影画像に対する編集を行うための第１の編集空間と、前記第１の編集空間に配置されている第１の筐体に設けられ、前記撮影画像に対する編集を行うための第１の編集手段と、前記第１の編集空間に配置されている第２の筐体であって、前記第１の筐体とは異なる第２の筐体内に配置され、編集された前記撮影画像を写真シールに印刷する第１の印刷手段とを備える。
【００２７】
本発明の一側面においては、被写体としての利用者を撮影する撮影手段が設けられ、撮影により得られた撮影画像に対する編集を行うための第１の編集空間に、前記第１の編集空間に配置されている第１の筐体に設けられ、前記撮影画像に対する編集を行うための第１の編集手段と、前記第１の編集空間に配置されている第２の筐体であって、前記第１の筐体とは異なる第２の筐体内に配置され、編集された前記撮影画像を写真シールに印刷する第１の印刷手段とが設けられる。
【００２８】
したがって、利用者がより迅速に移動できるとともに、より狭い設置空間に写真シール作成装置を設置することができる。
【００２９】
この写真シール作成装置の撮影手段は、例えば、CCD（Charge Coupled Device）カメラ、CMOS（Complementary Metal Oxide Semiconductor）カメラなどから構成され、第１の編集空間は、例えば、撮影により得られた撮影画像に対する編集を行うための空間から構成され、第１の編集手段は、例えば、タッチペン、編集表示部、およびスピーカが設けられた編集ユニットから構成される。また、第１の印刷手段は、例えば、プリンタから構成される。
【００３０】
前記第２の筐体における、前記第１の編集空間からの出口側の側面には、印刷された前記写真シールが排出されるシール紙排出口を設けることができる。
【００３１】
これにより、利用者によるシール紙の取り出し作業の安全性が図れ、簡単にシール紙を取り出すことができる。また、写真シール作成装置を管理する管理者は、簡単にメンテナンス作業を行うことができる。
【００３２】
前記第２の筐体は、前記第１の編集手段を利用して前記撮影画像に対する編集作業を行う前記利用者に利用される椅子として形成されるようにすることができる。
【００３３】
これにより、利用者はくつろぎながら編集作業を行うことができる。また、写真シール作成装置の筐体をより小さくすることができ、より狭い設置空間に設置することができる。さらに、編集空間をより広く利用することができ、利用者はより迅速に移動することができる。
【００３４】
この写真シール作成装置には、前記撮影手段が設けられ、前記被写体を撮影するための撮影空間と、撮影により得られた前記撮影画像に対する編集を行うための第２の編集空間と、前記第２の編集空間に配置されている第３の筐体に設けられ、前記撮影画像に対する編集を行うための第２の編集手段と、前記第２の編集空間に配置され、前記第２の編集手段を利用して前記撮影画像に対する編集作業を行う前記利用者に利用される椅子として形成されている第４の筐体であって、前記第３の筐体とは異なる第４の筐体内に配置され、編集された前記撮影画像を写真シールに印刷する第２の印刷手段とをさらに設けることができる。
【００３５】
これにより、利用者の回転率を向上させることができる。この撮影空間は、例えば、撮影手段が設けられ、被写体の撮影を行うための空間から構成され、第２の編集空間は、例えば、第２の編集手段が設けられ、撮影により得られた撮影画像に対する編集を行うための空間から構成され、第２の編集手段は、例えば、タッチペン、編集表示部、およびスピーカが設けられた編集ユニットから構成される。また、第２の印刷手段は、例えば、プリンタから構成される。
【００３６】
前記第１の編集空間および前記第２の編集空間を、前記撮影空間に隣接するように設け、前記撮影空間に、前記利用者が前記撮影空間から前記第１の編集空間に移動するときに通る第１の開口部と、前記利用者が前記撮影空間から前記第２の編集空間に移動するときに通る第２の開口部とを設け、前記撮影空間への入り口、前記第１の編集空間からの出口、および前記第２の編集空間からの出口を、前記写真シール作成装置の同じ側面に設けることができる。
【００３７】
これにより、より狭い設置空間に写真シール作成装置を設置することができる。この第１の開口部は、例えば撮影空間と第１の編集空間とを仕切る仕切りに設けられた開口部により構成され、第２の開口部は、例えば撮影空間と第２の編集空間とを仕切る仕切りに設けられた開口部により構成される。
【発明の効果】
【００３８】
本発明の一側面によれば、被写体を撮影することができる。特に、本発明の一側面によれば、より迅速に移動できるとともに、より狭い設置空間に写真シール作成装置を設置することができる。
【発明を実施するための最良の形態】
【００３９】
以下、図面を参照して、本発明を適用した実施の形態について説明する。
【００４０】
図５は、本発明を適用した写真シール作成装置の一実施の形態の外観構成例を示す斜視図を示している。
【００４１】
図５に示される写真シール作成装置９１は、撮影や編集等を利用者にゲームとして行わせる代わりに、利用者より代金を受け取るゲーム装置であり、通常、ゲームセンタなどの店舗に設置される。
【００４２】
図５では、写真シール作成装置９１の筐体１１１の図中、下側には地上面に接するように床部１１２が設けられている。ここで、筐体１１１の、地上面（床部１１２の上面）に対して垂直な４側面のうち、筐体１１１の図中、手前側に位置する面を正面１１１−１と称し、その正面１１１−１の右側に隣接する側面を右側面１１１−２と称し、正面１１１−１に対向する側面を背面１１１−３と称し、正面１１１−１の左側に隣接する側面（右側面１１１−２に対向する側面）を左側面１１１−４と称する。また、筐体１１１の床部１１２と対向する面を上面１１１−５と称する。
【００４３】
正面１１１−１は、正面１１１−１の上面１１１−５側に設けられたフレーム１１３乃至フレーム１１５と、床部１１２に直立するように横方向に並べられて設けられている長方形状のフレーム１１６乃至フレーム１１９とから構成され、フレーム１１６乃至フレーム１１９のそれぞれは、図中、左側から順に配置されている。すなわち、フレーム１１６は正面１１１−１の左端に配置され、フレーム１１９は正面１１１−１の右端に配置されている。
【００４４】
このように、フレーム１１６乃至フレーム１１９が横方向に並べられて配置されることにより、正面１１１−１には３つの開口部１２０乃至開口部１２２が設けられることになる。正面１１１−１の中央に設けられた開口部１２０は、筐体１１１の内部に設けられた撮影空間への入り口とされ、開口部１２０には、必要に応じて入り口扉としての撮影入り口カーテン１２３が下ろされ、撮影空間と写真シール作成装置９１の外部とが仕切られている。
【００４５】
すなわち、筐体１１１内部の上面１１１−５には、撮影入り口カーテン１２３などからなるカーテンユニット１２４が設けられている。カーテンユニット１２４の内部には、撮影入り口カーテン１２３を巻き取る軸が設けられており、カーテンユニット１２４は、内部に設けられた軸を回転させて、撮影入り口カーテン１２３を下ろしたり、撮影入り口カーテン１２３を巻き上げてカーテンユニット１２４に格納したりする。
【００４６】
また、正面１１１−１の左側に設けられた開口部１２１は、筐体１１１の内部に設けられた編集空間からの出口とされ、上面１１１−５の開口部１２１側に吊設されたカーテン１２５により、編集空間と写真シール作成装置９１の外部とが仕切られている。
【００４７】
同様に、正面１１１−１の右側に設けられた開口部１２２は、筐体１１１の内部に設けられた編集空間からの出口とされ、上面１１１−５の開口部１２２側に設けられたカーテン１２６により、編集空間と写真シール作成装置９１の外部とが仕切られている。
【００４８】
このように、写真シール作成装置９１においては、開口部１２０乃至開口部１２２、すなわち撮影空間への入り口と、編集空間からの出口とが同一の方向を向くように正面１１１−１に設けられている。したがって、正面１１１−１、すなわち筐体１１１の１側面だけが開放されていれば写真シール作成装置９１を設置することができるので、写真シール作成装置９１を設置するために必要な設置空間をより狭くすることができる。その結果、設置空間の利用効率を向上させることができる。
【００４９】
なお、筐体１１１の１側面だけが開放されている場合、撮影入り口カーテン１２３、カーテン１２５、およびカーテン１２６によって、開口部１２０乃至開口部１２２のそれぞれが完全に覆われてしまうと、撮影空間および編集空間が完全に外部から遮蔽されてしまい防犯上好ましくない。そこで、撮影空間および編集空間の内部が写真シール作成装置９１の外部からある程度見えるように、カーテン１２５およびカーテン１２６の一部または全部において下部が開いていることが好ましい。
【００５０】
図６は、図５に示した写真シール作成装置９１を正面１１１−１側から見た図を示している。なお、図６に示す写真シール作成装置９１においては、撮影入り口カーテン１２３、カーテン１２５、およびカーテン１２６の図示が省略されている。
【００５１】
写真シール作成装置９１の内部には、背面１１１−３に隣接して撮影処理に関する構成が設けられた筐体１５１が設けられている。筐体１５１には、照明部１６１−１乃至照明部１６１−３、カメラ１６２、取り込み画像表示部１６３、撮影表示部１６４、スピーカ１６５−１、スピーカ１６５−２、および硬貨投入排出口１６６が設けられている。
【００５２】
照明部１６１−１乃至照明部１６１−３は、ストロボ発光可能な照明装置により構成されており、それぞれ筐体１５１の図中、上側、右側、および左側に配置されている。照明部１６１−１乃至照明部１６１−３のそれぞれは、カメラ１６２が利用者を撮影する（カメラ１６２が取り込む画像より静止画像をキャプチャする）撮影タイミングに対応するタイミングでストロボ発光し、撮影を行う利用者に光を照射する。なお、以下において、照明部１６１−１乃至照明部１６１−３のそれぞれを個々に区別する必要のない場合、単に照明部１６１と称する。
【００５３】
筐体１５１における照明部１６１−１の図中、下側にはカメラ１６２が設けられており、カメラ１６２は、例えば、CCD（Charge Coupled Device）カメラ、CMOS（Complementary Metal Oxide Semiconductor）カメラなどから構成される。カメラ１６２は、被写体としての利用者を撮影する。
【００５４】
カメラ１６２近傍の、図中下側にある取り込み画像表示部１６３は、CRT（Cathode Ray Tube）ディスプレイやLCD（Liquid Crystal Display）により構成され、カメラ１６２により撮像された利用者のライブビュー画像（取り込み動画像）を表示する。具体的には、取り込み画像表示部１６３は、利用者により設定されている合成用動画像を、利用者のライブビュー画像に適宜合成して表示する。このカメラ１６２近傍に設けられた取り込み画像表示部１６３に表示される画像により、利用者は撮影直前の自分自身の画像を、カメラ１６２より大幅に視線をずらすことなく確認することができる。
【００５５】
撮影表示部１６４は、CRTディスプレイやLCDにより構成され、撮影作業の設定を行う画面や設定内容の確認画面等が表示されるモニタである。なお、撮影表示部１６４の表示面には無色透明の感圧式のタッチパネルが重畳されており、利用者は、画面上を指等によりタップ（接触）することにより、撮影表示部１６４に表示されているGUI（Graphical User Interface）画面を操作することができる。
【００５６】
スピーカ１６５−１およびスピーカ１６５−２は、左右２チャンネル（互いに異なるチャンネル）の音声（例えば、撮影作業案内用音声やBGM（Back Ground Music））を出力する。なお、以下において、スピーカ１６５−１およびスピーカ１６５−２を個々に区別する必要のない場合、単にスピーカ１６５と称する。硬貨投入排出口１６６は、利用者が写真シール作成ゲームを開始するための、予め定められた所定の料金の硬貨を投入する開口部を有している。また、硬貨投入排出口１６６は、例えば、誤った金額の硬貨が投入された場合や、投入途中で利用者が料金の払い戻しを要求した場合に、投入した硬貨が排出される排出口となる開口部も有している。
【００５７】
また、写真シール作成装置９１には、筐体１５１に隣接して、筐体１５１が設けられた撮影空間と、編集空間とを仕切る仕切り１６７−１および仕切り１６７−２が設けられている。すなわち、写真シール作成装置９１では、筐体１１１内部の仕切り１６７−１および仕切り１６７−２により囲まれる空間が撮影空間とされる。また、仕切り１６７−１と左側面１１１−４とで囲まれる空間が編集空間とされ、同様に仕切り１６７−２と右側面１１１−２とで囲まれる空間が編集空間とされる。なお、以下、仕切り１６７−１および仕切り１６７−２のそれぞれを個々に区別する必要のない場合、単に仕切り１６７と称する。
【００５８】
仕切り１６７−１および仕切り１６７−２のそれぞれの撮影空間側には、利用者を編集空間に誘導するときに点灯される案内灯１６８−１および案内灯１６８−２のそれぞれが設けられている。利用者は、案内灯１６８−１または案内灯１６８−２の点灯を確認することにより、撮影後どちらの編集空間に移動すればよいのかを容易に知ることができる。以下、案内灯１６８−１および案内灯１６８−２を個々に区別する必要のない場合、単に案内灯１６８と称する。
【００５９】
また、仕切り１６７−１および仕切り１６７−２のそれぞれの編集空間側には、撮影により得られた撮影画像の編集を行うための編集ユニット１６９−１および編集ユニット１６９−２のそれぞれが設けられている。さらに、床部１１２の編集ユニット１６９−１および編集ユニット１６９−２のそれぞれの正面、すなわち図中、編集ユニット１６９−１の左側、および編集ユニット１６９−２の右側には、プリンタ１７０−１が内蔵された筐体１７１−１、およびプリンタ１７０−２が内蔵された筐体１７１−２のそれぞれが配置されている。
【００６０】
筐体１７１−１および筐体１７１−２のそれぞれは、編集ユニット１６９−１および編集ユニット１６９−２のそれぞれが設けられた筐体とは別の筐体として、編集ユニット１６９−１および編集ユニット１６９−２から所定の距離だけ離れた位置に配置されている。
【００６１】
プリンタ１７０−１は、編集ユニット１６９−１を利用して編集された撮影画像をシール紙（写真シール）に印刷して、筐体１７１−１の開口部１２１側、すなわち編集空間からの出口側の側面に設けられたシール紙排出口１７２−１から排出し、利用者に提供する。また、筐体１７１−１の開口部１２１側の側面には、プリンタ１７０−１のメンテナンス時に開閉されるメンテナンス用ドアも設けられている。
【００６２】
同様に、プリンタ１７０−２は、編集ユニット１６９−２を利用して編集された撮影画像をシール紙に印刷して、筐体１７１−２の開口部１２２側、すなわち編集空間からの出口側の側面に設けられたシール紙排出口１７２−２から排出し、利用者に提供する。また、筐体１７１−２の開口部１２２側の側面には、プリンタ１７０−２のメンテナンス時に開閉されるメンテナンス用ドアも設けられている。
【００６３】
なお、以下、編集ユニット１６９−１および編集ユニット１６９−２のそれぞれを個々に区別する必要のない場合、単に編集ユニット１６９と称する。また、以下、筐体１７１−１および筐体１７１−２のそれぞれを個々に区別する必要のない場合、単に筐体１７１と称する。同様に、以下、プリンタ１７０−１およびプリンタ１７０−２を個々に区別する必要のない場合、単にプリンタ１７０と称し、シール紙排出口１７２−１およびシール紙排出口１７２−２を個々に区別する必要のない場合、単にシール紙排出口１７２と称する。
【００６４】
また、シール紙排出口１７２は、筐体１７１のどの側面に設けられるようにしてもよいが、編集空間からの出口側の側面に設けられることが好ましい。シール紙排出口１７２を筐体１７１の編集空間からの出口側の側面に設けることで、利用者によるシール紙の取り出し作業の安全性が図れ、利用者は簡単にシール紙を取り出すことができる。さらに、シール紙排出口１７２およびメンテナンス用ドアを出口側の側面に設けることで、写真シール作成装置９１を管理する管理者のメンテナンス作業も行いやすくなる。
【００６５】
また、筐体１７１は、編集ユニット１６９を利用して編集作業を行う利用者の椅子として用いられる。換言すれば、利用者の椅子として形成された筐体１７１の内部にプリンタ１７０が設けられている。このように、筐体１７１を椅子として利用することで、利用者はくつろぎながら編集作業を行うことができる。
【００６６】
また、編集ユニット１６９の筐体とは異なる筐体１７１を編集空間内に設け、利用者の椅子として利用することで、カメラ１６２等が設けられた筐体１５１、編集ユニット１６９の筐体、およびプリンタ１７０の筐体１７１のそれぞれを小さくすることができるので、写真シール作成装置９１の筐体１１１をより小さくすることができる。したがって、写真シール作成装置９１をより狭い設置空間に設置することができる。さらに、編集ユニット１６９の筐体および筐体１７１のそれぞれを小さくすることができるので、編集空間をより広く利用することができ、利用者はより迅速に移動することができる。
【００６７】
さらに、編集空間ごとに１つのプリンタ１７０が配置されるため、利用者は他の利用者に印刷されたシール紙を見られることがないので利用者のプライバシが守られ、また他の利用者によるシール紙の取り違えを防止することができる。さらに、また、各編集空間に１つのプリンタ１７０を配置することで、例えば一方の編集空間に設けられたプリンタ１７０のシール紙の交換などのメンテナンス作業を管理者が行うときに、管理者は他方の編集空間における編集作業を妨げることなく作業を行うことができる。
【００６８】
図７は、筐体１１１を図６における右上方から見た図を示している。
【００６９】
筐体１５１の図中、左側および右側に隣接して設けられている仕切り１６７−１および仕切り１６７−２は、上面１１１−５の背面１１１−３側に設けられたフレーム２０１により接続されている。
【００７０】
また、左側面１１１−４の背面１１１−３側の端には、床部１１２に直立するフレーム２０２が設けられ、上面１１１−５の左側面１１１−４側の端には、フレーム１１６とフレーム２０２とを接続するフレーム２０３が設けられている。さらに、上面１１１−５の背面１１１−３側には、仕切り１６７−１とフレーム２０３とを接続するフレーム２０４が設けられている。
【００７１】
同様に、右側面１１１−２の背面１１１−３側の端には、床部１１２に直立するフレーム２０５が設けられ、上面１１１−５の右側面１１１−２側の端には、フレーム１１９とフレーム２０５とを接続するフレーム２０６が設けられている。さらに、上面１１１−５の背面１１１−３側には、仕切り１６７−２とフレーム２０５とを接続するフレーム２０７が設けられている。
【００７２】
ここで、筐体１１１のフレーム１１９、フレーム２０５、およびフレーム２０６からなる側面、フレーム２０２、フレーム２０５、フレーム２０４、フレーム２０１、およびフレーム２０７からなる側面には、それぞれカーテン、パネルなどが設けられて右側面１１１−２および背面１１１−３とされる。また、筐体１１１のフレーム１１６、フレーム２０２、およびフレーム２０３からなる側面、フレーム１１３乃至フレーム１１５、フレーム２０３、フレーム２０４、フレーム２０１、フレーム２０６、およびフレーム２０７からなる側面には、それぞれカーテン、パネルなどが設けられて左側面１１１−４および上面１１１−５とされる。
【００７３】
次に、図８は、仕切り１６７−１の編集空間側に設けられた編集ユニット１６９−１の構成例を示す図である。
【００７４】
図８において、仕切り１６７−１には、利用者が編集作業を行う際に利用するアイテムがまとめられた編集ユニット１６９−１が、床部１１２に対して垂直となるように編集空間に向けられて設置されている。編集ユニット１６９−１は、編集表示部２３１、２本のタッチペン２３２−１およびタッチペン２３２−２、並びに２つのスピーカ２３３−１およびスピーカ２３３−２を有している。
【００７５】
編集表示部２３１は、CRTディスプレイやLCDにより構成され、撮影空間における撮影作業により得られた画像である撮影画像を編集するためのGUI画像（編集画面）等を表示する。この編集表示部２３１の画面上には無色透明のタッチパネルが重畳されている。また、この編集表示部２３１の左右近傍には、このタッチパネルに対応するタッチペン２３２−１とタッチペン２３２−２が左右１本ずつ所定のアタッチメントにより編集ユニット１６９−１に着脱可能に固定されており、２人の利用者が同時に編集作業を行うことができるようになされている。
【００７６】
以下において、左右のタッチペン２３２−１およびタッチペン２３２−２を個々に区別する必要のない場合、単にタッチペン２３２と称する。
【００７７】
タッチペン２３２は、編集ユニット１６９−１と有線（または無線）により電気的にも接続されている。タッチペン２３２は、編集表示部２３１の画面上に重畳された無色透明のタッチパネルと連携して動作する。利用者がこれらのタッチペン２３２を操作して、編集表示部２３１に重畳されるタッチパネルをタップする（タッチペン２３２とタッチパネルを接触させる）ことにより、これらは、利用者からの入力を受け付ける入力手段として動作する。なお、タッチペン２３２−１またはタッチペン２３２−２からは、例えばタッチパネルを介して互いに異なる信号が入力される。これにより写真シール作成装置９１は、どのタッチペン２３２がタッチパネルのどこにタップされたかを識別することができる。
【００７８】
また、編集表示部２３１の下側近傍には、左右に並ぶように、スピーカ２３３−１およびスピーカ２３３−２が設けられている。スピーカ２３３−１およびスピーカ２３３−２は、左右２チャンネルの音声（例えば、編集作業案内用音声やBGM）を出力する。以下において、スピーカ２３３−１およびスピーカ２３３−２を個々に区別する必要のない場合、単にスピーカ２３３と称する。
【００７９】
なお、仕切り１６７−２に設けられている編集ユニット１６９−２の構成も図８に示した編集ユニット１６９−１の構成と同様であるので、その説明は省略する。
【００８０】
また、各編集空間に配置されている筐体１７１は、例えば図９に示すように、編集ユニット１６９が設けられた仕切り１６７と接続されて固定されている。図９の例では、筐体１７１の図中、手前側の側面が図示せぬ仕切り１６７と対向しており、仕切り１６７と筐体１７１とは、編集ユニット１６９およびプリンタ１７０を接続するケーブル等が格納されているカバー２６１や鉄板２６２により接続されている。なお、カバー２６１および鉄板２６２が床部１１２に固定されるようにしてもよい。
【００８１】
このように、筐体１７１と仕切り１６７とを接続することによって、プリンタ１７０が内蔵された筐体１７１を固定することができるとともに、その盗難を防止することができる。
【００８２】
図１０は、図６に示した写真シール作成装置９１の筐体１１１の内部を上面１１１−５側から見た図である。なお、図１０において図５または図６における場合と対応する部分には同一の符号を付してあり、その説明は適宜省略する。
【００８３】
図１０では、写真シール作成装置９１の背面１１１−３、正面１１１−１、仕切り１６７−１、および仕切り１６７−２により囲まれる空間が撮影空間２９１とされている。また、撮影空間２９１に隣接し、背面１１１−３、正面１１１−１、左側面１１１−４、および仕切り１６７−１により囲まれる空間が編集空間２９２−１とされており、撮影空間２９１に隣接し、背面１１１−３、正面１１１−１、右側面１１１−２、および仕切り１６７−２により囲まれる空間が編集空間２９２−２とされている。なお、以下、編集空間２９２−１および編集空間２９２−２を個々に区別する必要のない場合、単に編集空間２９２と称する。
【００８４】
また、仕切り１６７−１には、撮影空間２９１から編集空間２９２−１への入り口としての開口部２９３−１が設けられている。さらに、上面１１１−５からはカーテン２９４−１が吊設され、開口部２９３−１の位置において、撮影空間２９１と編集空間２９２−１とがカーテン２９４−１により仕切られている。
【００８５】
同様に、仕切り１６７−２には、撮影空間２９１から編集空間２９２−２への入り口としての開口部２９３−２が設けられている。さらに、上面１１１−５からはカーテン２９４−２が吊設され、開口部２９３−２の位置において、撮影空間２９１と編集空間２９２−２とがカーテン２９４−２により仕切られている。
【００８６】
ここで、開口部２９３−１と開口部２９３−２とは、撮影空間２９１の互いに対向する位置に設けられている。また、カーテン２９４−１およびカーテン２９４−２によって、開口部２９３−１および開口部２９３−２が完全に覆われてしまうと、撮影空間２９１または編集空間２９２が隣接する他の空間から遮蔽されてしまい防犯上好ましくない。そこで、撮影空間２９１または編集空間２９２の内部が他の空間からもある程度見えるように、カーテン２９４−１およびカーテン２９４−２の一部または全部において下部が開いていることが好ましい。
【００８７】
なお、以下、開口部２９３−１および開口部２９３−２を個々に区別する必要のない場合、単に開口部２９３と称する。また、以下、カーテン２９４−１およびカーテン２９４−２を個々に区別する必要のない場合、単にカーテン２９４と称する。また、上面１１１−５にカーテン２９４を格納するカーテンユニットを設け、カーテン２９４を自動昇降式のカーテンとするようにしてもよい。
【００８８】
また、図中、点線２９５−１および点線２９５−２は、カメラ１６２の画角を表しており、図中、点線２９５−１の右側、かつ点線２９５−２の左側の領域の画像がカメラ１６２により撮影される。そこで、編集空間２９２への入り口としての開口部２９３−１および開口部２９３−２は、カメラ１６２の画角の外側、すなわちカメラ１６２により撮影された画像に写らない位置に設けられている。
【００８９】
さらに、撮影入り口カーテン１２３の撮影空間２９１側の面は、クロマキ用合成加工が施されている。すなわち、撮影入り口カーテン１２３の撮影空間２９１側の面は、均質な青色や緑色などの色とされ、クロマキ合成処理において他の画像が合成される領域とされる。
【００９０】
このように、撮影入り口カーテン１２３にクロマキ用合成加工を施すことによって、カーテンユニット１２４から複数の背景カーテンを出し入れして撮影の背景として用いる場合と比べて、利用者は撮影空間２９１の入り口により近い位置まで後退して撮影作業を行うことができる。したがって、より広い撮影スペースを確保することができ、撮影空間２９１を有効に利用することができる。
【００９１】
なお、以上においては、プリンタ１７０が、編集ユニット１６９の筐体およびカメラ１６２等が設けられた筐体１５１とは異なる筐体１７１に設けられると説明したが、プリンタ１７０が、編集ユニット１６９の筐体または筐体１５１に設けられるようにしてもよい。
【００９２】
図１１は、写真シール作成装置９１の機能の構成例を示すブロック図である。なお、図１１において、図６乃至図１０における場合と対応する部分には同一の符号を付してあり、その説明は適宜省略する。
【００９３】
写真シール作成装置９１は、制御部３２１、ROM（Read Only Memory）３２２、RAM（Random Access Memory）３２３、記憶部３２４、撮影部３２５、編集部３２６−１、編集部３２６−２、カーテン開閉制御部３２７、案内灯制御部３２８、プリンタ１７０−１、プリンタ１７０−２、ＩＤタグリーダライタ３２９−１、ＩＤタグリーダライタ３２９−２、シール紙ユニット３３０−１、およびシール紙ユニット３３０−２から構成される。
【００９４】
制御部３２１は、写真シール作成装置９１の各部を制御し、撮影および編集に関する処理を実行させる。制御部３２１は、ROM３２２に記録されているプログラム、または記憶部３２４からRAM３２３にロードされたプログラムに従って各種の処理を実行する。RAM３２３にはまた、制御部３２１が各種の処理を実行する上において必要なデータなども適宜記憶される。
【００９５】
記憶部３２４は、例えば半導体メモリやハードディスク等により構成される記憶媒体であり、画像データや設定情報など、各種のプログラムやデータを記憶する。
【００９６】
撮影部３２５は、撮影空間２９１における被写体の撮影を行う。撮影部３２５は、硬貨処理部３４１、照明部１６１、カメラ１６２、撮影表示部１６４、取り込み画像表示部１６３、およびスピーカ１６５から構成される。硬貨処理部３４１は、硬貨投入排出口１６６などからなり、利用者による硬貨投入に関する制御処理を行う。
【００９７】
編集部３２６−１は、編集ユニット１６９−１に設けられている各部により構成され、編集空間２９２−１における編集処理を行う。編集部３２６−１は、編集表示部２３１、タッチペン２３２−１、タッチペン２３２−２、スピーカ２３３、およびタッチパネル３４２から構成される。
【００９８】
タッチパネル３４２は、編集表示部２３１の表示面に重畳される無色透明の感圧式のタッチパネルであり、利用者は、画面上をタッチペン２３２によりタップ（接触）することにより、編集表示部２３１に表示されているGUI画面を操作することができる。
【００９９】
編集部３２６−２は、編集ユニット１６９−２に設けられている各部により構成され、編集空間２９２−２における編集処理を行う。編集部３２６−２は、編集表示部３４３、タッチペン３４４−１、タッチペン３４４−２、スピーカ３４５、およびタッチパネル３４６から構成される。
【０１００】
なお、これらの編集表示部３４３、タッチペン３４４−１、タッチペン３４４−２、スピーカ３４５、およびタッチパネル３４６のそれぞれは、編集部３２６−１における編集表示部２３１、タッチペン２３２−１、タッチペン２３２−２、スピーカ２３３、およびタッチパネル３４２のそれぞれと同様であるため、その説明は省略する。また、以下、編集部３２６−１および編集部３２６−２のそれぞれを個々に区別する必要のない場合、単に編集部３２６と称する。
【０１０１】
カーテン開閉制御部３２７は、カーテンユニット１２４を駆動して、撮影入り口カーテン１２３を下ろしたり、撮影入り口カーテン１２３を巻き上げてカーテンユニット１２４に格納したりして、撮影入り口カーテン１２３の上げ下げを制御する。案内灯制御部３２８は、編集空間２９２の使用状況に応じて案内灯１６８の点灯および消灯を制御する。
【０１０２】
ＩＤタグリーダライタ３２９−１は、シール紙ユニット３３０−１に付されているＩＤタグ３４７−１から装填されているシール紙３４８−１の種類に対応するＩＤを読み取り、制御部３２１に供給する。制御部３２１は、ＩＤタグリーダライタ３２９−１から供給されたＩＤを、予めROM３２２等に記録しているＩＤと照合することにより、シール紙ユニット３３０−１に収納されているシール紙３４８−１が適切なシール紙であるか否かを判定し、写真シール作成装置９１を使用可能、または使用不可能にする。
【０１０３】
プリンタ１７０−１は、利用者により編集が施されて作成された撮影画像のデータが印刷データとして制御部３２１から供給されたとき、シール紙ユニット３３０−１に収納されているシール紙３４８−１に画像を印刷し、印刷したシール紙３４８−１をシール紙排出口１７２−１から排出する。
【０１０４】
なお、プリンタ１７０−２、ＩＤタグリーダライタ３２９−２、シール紙ユニット３３０−２、ＩＤタグ３４７−２、およびシール紙３４８−２のそれぞれは、プリンタ１７０−１、ＩＤタグリーダライタ３２９−１、シール紙ユニット３３０−１、ＩＤタグ３４７−１、およびシール紙３４８−１のそれぞれと同様であるので、その説明は省略する。
【０１０５】
なお、以下、ＩＤタグリーダライタ３２９−１およびＩＤタグリーダライタ３２９−２を個々に区別する必要のない場合、単にＩＤタグリーダライタ３２９と称する。同様に、以下、シール紙ユニット３３０−１およびシール紙ユニット３３０−２を個々に区別する必要のない場合、単にシール紙ユニット３３０と称し、ＩＤタグ３４７−１およびＩＤタグ３４７−２のそれぞれを個々に区別する必要のない場合、単にＩＤタグ３４７と称し、シール紙３４８−１およびシール紙３４８−２のそれぞれを個々に区別する必要のない場合、単にシール紙３４８と称する。
【０１０６】
ところで、撮影空間２９１が利用されていない場合、撮影入り口カーテン１２３は、カーテンユニット１２４に格納されており、撮影空間２９１への入り口は開かれている。このとき、利用者は、撮影空間２９１への入り口としての開口部１２０を通って撮影空間２９１に入場し、筐体１５１に設けられた硬貨投入排出口１６６に所定の料金の硬貨を投入することによって、写真シール作成ゲームを行うことができる。
【０１０７】
硬貨投入排出口１６６に硬貨が投入されると、写真シール作成装置９１は、写真シールを作成する処理である、写真シール作成ゲーム処理を開始する。以下、図１２のフローチャートを参照して、写真シール作成装置９１による写真シール作成ゲーム処理について説明する。
【０１０８】
ステップＳ１１において、硬貨処理部３４１は、利用者の硬貨投入（代金の支払い）に対する受付処理を行う。硬貨処理部３４１は、硬貨投入排出口１６６に投入された硬貨の金額を検出し、制御部３２１に硬貨が投入された旨の信号を供給する。
【０１０９】
所定の代金の硬貨が投入されると、制御部３２１は硬貨処理部３４１から供給された、硬貨が投入された旨の信号に基づいて、カーテン開閉制御部３２７に撮影空間２９１への入り口を閉じるように指令する。なお、硬貨が１枚でも投入された時点で、制御部３２１が入り口を閉じるように指令するようにしてもよい。
【０１１０】
ステップＳ１２において、カーテン開閉制御部３２７は、カーテンユニット１２４を駆動して撮影入り口カーテン１２３を下ろす。これにより、撮影空間２９１への入り口としての開口部１２０が閉じられる。
【０１１１】
ステップＳ１３において、撮影部３２５は撮影処理を行う。例えば、撮影表示部１６４は、撮影時の背景としてクロマキ合成する背景画像を選択させる画面を表示し、利用者に背景画像を選択させる。また、取り込み画像表示部１６３は、カメラ１６２により撮影された画像と、利用者により選択された背景画像とをクロマキ合成して得られる画像であるライブビュー画像を表示する。このとき利用者は、ポーズを取ったり、撮影のタイミングを指示したりして撮影作業を行い、撮影部３２５に複数の撮影画像を生成させる。
【０１１２】
そして、撮影するタイミングとなったとき、照明部１６１は照明（フラッシュ）を被写体に照射し、カメラ１６２は、その瞬間に取り込まれている静止画像を制御部３２１に供給する。制御部３２１は、カメラ１６２において撮影された静止画像と背景画像とをクロマキ合成して得られる画像を撮影画像として、撮影画像をRAM３２３に供給して一時的に記憶させる。
【０１１３】
撮影表示部１６４は、RAM３２３から撮影画像を取得して撮像画像を確認するための画像確認画面を表示する。この画像確認画面には、撮影により得られた撮影画像が表示される。そして、利用者が撮影表示部１６４に表示されている画像確認画面を確認して、撮影画像の保存を指示すると、制御部３２１は撮影により得られた撮影画像を記憶部３２４に供給して記憶させる。
【０１１４】
ステップＳ１４において、撮影表示部１６４は、使用されていない編集空間２９２への利用者の移動を促す移動案内画面を表示する。すなわち、制御部３２１は、編集空間２９２−１または編集空間２９２−２のうち、利用者により使用されていない編集空間２９２を検出し、撮影表示部１６４に使用されていない編集空間２９２への移動案内画面の表示を指示する。撮影表示部１６４は、制御部３２１の指示にしたがって移動案内画面を表示する。
【０１１５】
また、このとき、スピーカ１６５は、編集空間２９２への移動を促すメッセージの音声を出力し、案内灯制御部３２８は、編集空間２９２への入り口である開口部２９３付近に設けられた案内灯１６８を点灯させて、編集空間２９２への移動を促す。利用者は、編集空間２９２への移動の案内にしたがって、開口部２９３−１または開口部２９３−２を通り、撮影空間２９１から編集空間２９２−１または編集空間２９２−２に移動する。
【０１１６】
撮影が終了すると、制御部３２１は、カーテン開閉制御部３２７に撮影空間２９１への入り口を開けるように指令する。例えば、制御部３２１は、撮影終了後、撮影表示部１６４にデモ画面が表示された場合、撮影表示部１６４に移動案内画面が表示されて編集空間２９２への移動案内が終了した場合、編集部３２６の編集表示部の表示が、デモ画面から編集画面に切り替わった場合、利用者がタッチペンを用いて編集の開始を指示した場合などに入り口を開けるように指令する。
【０１１７】
ステップＳ１５において、カーテン開閉制御部３２７は、カーテンユニット１２４を駆動して撮影入り口カーテン１２３を上げて、撮影入り口カーテン１２３をカーテンユニット１２４に格納させる。これにより、撮影空間２９１への入り口としての開口部１２０が開き、次に写真シール作成ゲームを行う利用者が撮影空間２９１に入場することができるようになる。
【０１１８】
ステップＳ１６において、編集部３２６は編集処理を行う。例えば、利用者が開口部２９３−１を通って編集空間２９２−１に移動した場合、利用者は筐体１７１−１に座って編集ユニット１６９−１、すなわちタッチペン２３２を操作し、編集作業を行う。編集表示部２３１は、記憶部３２４に保存されている撮影画像を制御部３２１を介して取得して、撮影画像を編集するための編集画面を表示し、編集部３２６−１は、利用者による編集入力の受け付けを開始する。
【０１１９】
そして、利用者がタッチペン２３２を用いて編集画面を操作し、編集画面に表示されている撮影画像に対する編集入力を行うと、編集部３２６−１は、撮影画像に対して編集処理を施し、編集表示部２３１は、その編集入力を反映させた撮像画像（編集画像）を編集画面に表示する。編集作業が終了すると、編集表示部２３１は、利用者による操作に応じて編集された撮影画像を制御部３２１に供給する。制御部３２１は、プリンタ１７０−１に編集された撮影画像を供給して印刷させる。
【０１２０】
ステップＳ１７において、プリンタ１７０は、制御部３２１から供給された撮影画像をシール紙に印刷して利用者に提供する印刷処理を行う。例えば、利用者が編集空間２９２−１において編集作業を行った場合、プリンタ１７０−１は、シール紙ユニット３３０−１から供給されるシール紙３４８−１に撮影画像を印刷する。
【０１２１】
ステップＳ１８において、編集部３２６は事後接客処理を行う。例えば、編集部３２６は、編集空間２９２で印刷の終了を待つ利用者に対して、利用者が所有する携帯電話機への撮影画像の転送やミニゲーム等のサービスを提供する。
【０１２２】
ステップＳ１９において、プリンタ１７０は、印刷したシール紙をシール紙排出口１７２から排出し、写真シール作成ゲーム処理は終了する。利用者は、シール紙排出口１７２から排出されたシール紙を受け取ると、開口部１２１または開口部１２２を通って、編集空間２９２−１または編集空間２９２−２から退出する。
【０１２３】
このようにして、写真シール作成装置９１は被写体を撮影し、これにより得られた撮影画像に対して編集処理を施し、シール紙に印刷して利用者に提供する。
【０１２４】
写真シール作成装置９１においては、撮影空間２９１と編集空間２９２とを仕切る仕切り１６７に、編集空間２９２への入り口としての開口部２９３が設けられているため、利用者は、写真シール作成装置９１の外部に退出することなく撮影空間２９１から編集空間２９２に移動することができる。
【０１２５】
したがって、写真シール作成ゲームを行う利用者は撮影空間２９１に入場し、ゲームが終了して編集空間２９２から退出するまで、写真シール作成装置９１の外部に出ることがないため、撮影空間から編集空間に移動するときに、一旦、写真シール作成装置の外部に出なければならない場合と比べて、利用者の移動動線を短縮することができ、利用者はより迅速に他の空間へと移動することができる。これにより、利用者の回転率を向上させることができる。
【０１２６】
また、利用者は、撮影空間２９１に入場してから写真シール作成ゲームが終了するまで写真シール作成装置９１の外部に出る必要がないので、ゲームの流れが中断されることがなくなり、利用者はゲームの流れの一貫性を感じることができる。
【０１２７】
さらに、プリンタ１７０を編集空間２９２内に配置し、利用者がシール紙を編集空間２９２内において受け取ることができるようにしたので、写真シール作成装置９１の外部において、シール紙の印刷を待つ利用者が滞留することを防止することができる。
【０１２８】
なお、以上においては、写真シール作成装置９１は、撮影入り口カーテン１２３を背景として撮影が行われる構成としたが、写真シール作成装置９１の筐体内部の壁を背景として撮影が行われる構成としてもよい。
【０１２９】
そのような場合、写真シール作成装置９１は、例えば図１３に示すように構成される。
【０１３０】
図１３では、写真シール作成装置９１の筐体３８１の図中、下側には地上面に接するように床部３８２が設けられている。ここで、筐体３８１の、地上面（床部３８２の上面）に対して垂直な４側面のうち、筐体３８１の図中、手前側に位置する面を正面３８１−１と称し、その正面３８１−１の右側に隣接する側面を右側面３８１−２と称し、正面３８１−１に対向する側面を背面３８１−３と称し、正面３８１−１の左側に隣接する側面（右側面３８１−２に対向する側面）を左側面３８１−４と称する。また、筐体３８１の床部３８２と対向する面を上面３８１−５と称する。
【０１３１】
正面３８１−１は、正面３８１−１の上面３８１−５側に設けられたフレーム３９１と、床部３８２に直立するように横方向に並べられて設けられている長方形状のフレーム３９２、フレーム３９３、パネル３９４、およびフレーム３９５とから構成され、フレーム３９２、フレーム３９３、パネル３９４、およびフレーム３９５のそれぞれは、図中、左側から順に配置されている。すなわち、フレーム３９２は正面３８１−１の左端に配置され、フレーム３９５は正面３８１−１の右端に配置されている。
【０１３２】
このように、フレーム３９２、フレーム３９３、パネル３９４、およびフレーム３９５が横方向に並べられて配置されることにより、正面３８１−１には３つの開口部３９６乃至開口部３９８が設けられることになる。正面３８１−１の中央に設けられた開口部３９６は、筐体３８１の内部に設けられた撮影空間への入り口とされ、開口部３９６には、必要に応じて入り口扉としての撮影入り口カーテン１２３が下ろされ、撮影空間と写真シール作成装置９１の外部とが仕切られている。
【０１３３】
すなわち、筐体３８１内部の上面３８１−５には、撮影入り口カーテン１２３などからなるカーテンユニット１２４が設けられている。カーテンユニット１２４は、撮影入り口カーテン１２３を下ろしたり、撮影入り口カーテン１２３を巻き上げてカーテンユニット１２４に格納したりする。
【０１３４】
また、正面３８１−１の左側に設けられた開口部３９７は、筐体３８１の内部に設けられた編集空間からの出口とされ、上面３８１−５の開口部３９７側に吊設されたカーテン１２５により、編集空間と写真シール作成装置９１の外部とが仕切られている。
【０１３５】
同様に、正面３８１−１の右側に設けられた開口部３９８は、筐体３８１の内部に設けられた編集空間からの出口とされ、上面３８１−５の開口部３９８側に設けられたカーテン１２６により、編集空間と写真シール作成装置９１の外部とが仕切られている。
【０１３６】
このように、写真シール作成装置９１においては、開口部３９６乃至開口部３９８、すなわち撮影空間への入り口と、編集空間からの出口とが同一の方向を向くように正面３８１−１に設けられている。したがって、正面３８１−１、すなわち筐体３８１の１側面だけが開放されていれば写真シール作成装置９１を設置することができるので、写真シール作成装置９１を設置するために必要な設置空間をより狭くすることができる。その結果、設置空間の利用効率を向上させることができる。
【０１３７】
さらに、筐体３８１の内部には、筐体３８１の内部に設けられた撮影空間と、筐体３８１内部の図中、左側に設けられた編集空間とを仕切る仕切り３９９−１、および筐体３８１の内部に設けられた撮影空間と、筐体３８１内部の図中、右側に設けられた編集空間とを仕切る仕切り３９９−２が設けられている。なお、以下、仕切り３９９−１および仕切り３９９−２を個々に区別する必要のない場合、単に仕切り３９９と称する。
【０１３８】
また、筐体３８１の１側面だけが開放されている場合、撮影入り口カーテン１２３、カーテン１２５、およびカーテン１２６によって、開口部３９６乃至開口部３９８のそれぞれが完全に覆われてしまうと、撮影空間および編集空間が完全に外部から遮蔽されてしまい防犯上好ましくない。そこで、撮影空間および編集空間の内部が写真シール作成装置９１の外部からある程度見えるように、撮影入り口カーテン１２３、カーテン１２５、およびカーテン１２６の一部または全部において下部が開いていることが好ましい。
【０１３９】
図１４は、図１３に示した写真シール作成装置９１の筐体３８１の内部を上面３８１−５側から見た図である。なお、図１４において図１０および図１３における場合と対応する部分には同一の符号を付してあり、その説明は適宜省略する。
【０１４０】
図１４では、写真シール作成装置９１の背面３８１−３、正面３８１−１、仕切り３９９−１、および仕切り３９９−２により囲まれる空間が撮影空間４３１とされている。また、撮影空間４３１に隣接し、背面３８１−３、正面３８１−１、左側面３８１−４、および仕切り３９９−１により囲まれる空間が編集空間４３２−１とされており、撮影空間４３１に隣接し、背面３８１−３、正面３８１−１、右側面３８１−２、および仕切り３９９−２により囲まれる空間が編集空間４３２−２とされている。
【０１４１】
以下、編集空間４３２−１および編集空間４３２−２を個々に区別する必要のない場合、単に編集空間４３２と称する。
【０１４２】
また、撮影空間４３１の正面３８１−１と仕切り３９９−２とが垂直に交わる部分、すなわち撮影空間４３１の図中、右下の端の部分には、照明部１６１、カメラ１６２、取り込み画像表示部１６３、撮影表示部１６４、スピーカ１６５、および硬貨投入排出口１６６などが設けられている筐体４３３が配置されている。
【０１４３】
筐体４３３には、カメラ１６２が撮影空間４３１の図中、左上の端の方向、すなわち撮影空間４３１における筐体４３３が配置されている位置と対角の位置の方向を向くように配置されている。また、筐体４３３の上面３８１−５側には、照明部１６１が設けられている。なお、撮影時に充分な光量が得られるように、上面３８１−５にも照明部１６１が設けられるようにしてもよい。
【０１４４】
このように、筐体４３３を撮影空間４３１の端に配置することで、撮影空間４３１における、利用者が撮影に利用できる空間をより広くすることができ、より多人数での撮影を行うことができる。
【０１４５】
また、撮影空間４３１における、筐体４３３が配置されている位置とは対角の位置、すなわち撮影空間４３１の図中、左上の端の部分には、背面３８１−３および仕切り３９９−１と隣接してＬ字型の椅子４３４が配置されている。利用者は、椅子４３４に腰掛けて様々なポーズをとりながら撮影作業を行うことができる。また、カメラ１６２は、椅子４３４に座っている利用者を斜め上方から見下ろすように撮影できるため、カメラ１６２が筐体４３３における通常よりも高い位置、すなわち上面３８１−５により近い位置に配置されるようにしてもよい。
【０１４６】
編集空間４３２−１の仕切り３９９−１には、編集ユニット１６９−１が設けられており、編集ユニット１６９−１の正面、すなわち編集ユニット１６９−１と向かい合う位置に、プリンタ１７０−１が内蔵されている筐体１７１−１が配置されている。筐体１７１−１の開口部３９７側の側面には、シール紙排出口１７２−１が設けられている。
【０１４７】
同様に、編集空間４３２−２の仕切り３９９−２には、編集ユニット１６９−２が設けられており、編集ユニット１６９−２の正面、すなわち編集ユニット１６９−２と向かい合う位置に、プリンタ１７０−２が内蔵されている筐体１７１−２が配置されている。筐体１７１−２の開口部３９８側の側面には、シール紙排出口１７２−２が設けられている。
【０１４８】
このように、筐体１７１の編集空間４３２からの出口側の側面にシール紙排出口１７２を設けることで、利用者によるシール紙の取り出し作業の安全性が図れ、利用者は簡単にシール紙を取り出すことができる。さらに、シール紙排出口１７２を出口側の側面に設けることで、写真シール作成装置９１を管理する管理者のメンテナンス作業も行いやすくなる。
【０１４９】
また、筐体１７１は、編集ユニット１６９を利用して編集作業を行う利用者の椅子として用いられる。このように、筐体１７１を椅子として利用することで、利用者はくつろぎながら編集作業を行うことができる。
【０１５０】
さらに、編集ユニット１６９の筐体とは異なる筐体１７１を編集空間４３２内に設け、利用者の椅子として利用することで、カメラ１６２等が設けられた筐体４３３、編集ユニット１６９の筐体、およびプリンタ１７０の筐体１７１のそれぞれを小さくすることができるので、写真シール作成装置９１の筐体３８１をより小さくすることができる。これにより、写真シール作成装置９１をより狭い設置空間に設置することができる。また、編集空間４３２をより広く利用することができ、利用者はより迅速に移動することができる。
【０１５１】
撮影空間４３１と編集空間４３２−１とを仕切る仕切り３９９−１には、撮影空間４３１から編集空間４３２−１への入り口としての開口部４３５−１が設けられている。また、上面３８１−５からはカーテン４３６−１が吊設され、開口部４３５−１の位置において、撮影空間４３１と編集空間４３２−１とがカーテン４３６−１により仕切られている。さらに、仕切り３９９−１の開口部４３５−１の付近には、案内灯１６８−１が設けられている。
【０１５２】
同様に、仕切り３９９−２には、撮影空間４３１から編集空間４３２−２への入り口としての開口部４３５−２が設けられている。また、上面３８１−５からはカーテン４３６−２が吊設され、開口部４３５−２の位置において、撮影空間４３１と編集空間４３２−２とがカーテン４３６−２により仕切られている。さらに、仕切り３９９−２の開口部４３５−２の付近には、案内灯１６８−２が設けられている。
【０１５３】
ここで、開口部４３５−１と開口部４３５−２とは、撮影空間４３１の互いに対角する位置に設けられている。また、カーテン４３６−１およびカーテン４３６−２によって、開口部４３５−１および開口部４３５−２が完全に覆われてしまうと、撮影空間４３１または編集空間４３２が隣接する他の空間から遮蔽されてしまい防犯上好ましくない。そこで、撮影空間４３１または編集空間４３２の内部が他の空間からもある程度見えるように、カーテン４３６−１およびカーテン４３６−２の一部または全部において下部が開いていることが好ましい。
【０１５４】
なお、以下、開口部４３５−１および開口部４３５−２を個々に区別する必要のない場合、単に開口部４３５と称する。また、以下、カーテン４３６−１およびカーテン４３６−２を個々に区別する必要のない場合、単にカーテン４３６と称する。また、上面３８１−５にカーテン４３６を格納するカーテンユニットを設け、カーテン４３６を自動昇降式のカーテンとするようにしてもよい。
【０１５５】
また、図中、点線４３７−１および点線４３７−２は、カメラ１６２の画角を表しており、図中、点線４３７−１の上側、かつ点線４３７−２の左側の領域の画像がカメラ１６２により撮影される。そこで、編集空間４３２への入り口としての開口部４３５に設けられたカーテン４３６、および撮影空間４３１の入り口に設けられた撮影入り口カーテン１２３は、カメラ１６２の画角の外側、すなわちカメラ１６２により撮影された画像に写らない位置に設けられることが好ましい。
【０１５６】
例えば、カーテン４３６または撮影入り口カーテン１２３がカメラ１６２の画角の内側にある場合、カーテン４３６または撮影入り口カーテン１２３の撮影空間４３１側の面には、クロマキ用合成加工が施されるようにし、クロマキ合成処理において他の画像が合成される領域とされる。
【０１５７】
ところで、撮影空間４３１において利用者により撮影作業が行われていない場合、撮影空間４３１の入り口に設けられている撮影入り口カーテン１２３は、カーテンユニット１２４に格納されている。
【０１５８】
撮影入り口カーテン１２３がカーテンユニット１２４に格納されている状態において、利用者が図１４に示した写真シール作成装置９１を利用して写真シール作成ゲームを行う場合、利用者は、入り口としての開口部３９６から撮影空間４３１に入場し、硬貨を硬貨投入排出口１６６に投入する。
【０１５９】
すると、写真シール作成装置９１は、図１２を参照して説明した写真シール作成ゲーム処理を開始する。すなわち、硬貨投入排出口１６６に硬貨が投入されると、撮影入り口カーテン１２３が下ろされて、撮影空間４３１への入りが閉じられ、利用者は、椅子４３４を利用して、カメラ１６２の方向を向いて所望のポーズをとり撮影作業を開始する。
【０１６０】
撮影作業が終了すると、撮影表示部１６４には、編集空間４３２への移動を促す移動案内画面が表示されるので、利用者はその移動案内画面や案内灯１６８の点灯による案内にしたがって、編集空間４３２への入り口としての開口部４３５を通り、編集空間４３２−１または編集空間４３２−２へと移動する。
【０１６１】
移動案内画面が表示されると、撮影入り口カーテン１２３は巻き上げられてカーテンユニット１２４に格納され、撮影空間４３１への入り口は開かれる。また、編集空間４３２に移動した利用者は、編集ユニット１６９を利用して編集作業を行い、筐体１７１に設けられたシール紙排出口１７２からシール紙が排出されると、シール紙を受け取って、編集空間４３２からの出口としての開口部３９７または開口部３９８を通って編集空間４３２から退出する。
【０１６２】
このように、写真シール作成装置９１においては、利用者は撮影空間４３１に入場し、ゲームが終了して編集空間４３２から退出するまで、写真シール作成装置９１の外部に出ることがないため、撮影空間から編集空間に移動するときに、一旦、写真シール作成装置の外部に出なければならない場合と比べて、利用者の移動動線を短縮することができ、利用者はより迅速に他の空間へと移動することができる。これにより、利用者の回転率を向上させることができる。
【０１６３】
また、利用者は、撮影空間４３１に入場してから写真シール作成ゲームが終了するまで写真シール作成装置９１の外部に出る必要がないので、ゲームの流れが中断されることがなくなり、利用者はゲームの流れの一貫性を感じることができる。
【０１６４】
さらに、プリンタ１７０を編集空間４３２内に配置し、利用者がシール紙を編集空間４３２内において受け取ることができるようにしたので、写真シール作成装置９１の外部において、シール紙の印刷を待つ利用者が滞留することを防止することができる。
【０１６５】
なお、以上においては、プリンタ１７０が、編集ユニット１６９の筐体およびカメラ１６２等が設けられた筐体４３３とは異なる筐体１７１に設けられると説明したが、プリンタ１７０が、編集ユニット１６９の筐体または筐体４３３に設けられるようにしてもよい。
【０１６６】
また、以上においては、写真シール作成装置９１は、２つの編集空間のそれぞれが、撮影空間に隣接して設けられる構成としたが、２つの編集空間が互いに隣接して設けられるようにしてもよい。
【０１６７】
そのような場合、写真シール作成装置９１は、例えば図１５に示すように構成される。
【０１６８】
図１５では、写真シール作成装置９１の筐体４８１の図中、下側には地上面に接するように床部４８２が設けられている。ここで、筐体４８１の、地上面（床部４８２の上面）に対して垂直な４側面のうち、筐体４８１の図中、手前側に位置する面を正面４８１−１と称し、その正面４８１−１の右側に隣接する側面を右側面４８１−２と称し、正面４８１−１に対向する側面を背面４８１−３と称し、正面４８１−１の左側に隣接する側面（右側面４８１−２に対向する側面）を左側面４８１−４と称する。また、筐体４８１の床部４８２と対向する面を上面４８１−５と称する。
【０１６９】
正面４８１−１は、正面４８１−１の上面４８１−５側に設けられたフレーム４９１と、床部４８２に直立するように横方向に並べられて設けられている長方形状のフレーム４９２、パネル４９３、フレーム４９４、およびフレーム４９５とから構成され、フレーム４９２、パネル４９３、フレーム４９４、およびフレーム４９５のそれぞれは、図中、左側から順に配置されている。すなわち、フレーム４９２は正面４８１−１の左端に配置され、フレーム４９５は正面４８１−１の右端に配置されている。
【０１７０】
このように、フレーム４９２、パネル４９３、フレーム４９４、およびフレーム４９５が横方向に並べられて配置されることにより、正面４８１−１には３つの開口部４９６乃至開口部４９８が設けられることになる。正面４８１−１の左端に設けられた開口部４９６は、筐体４８１の内部に設けられた撮影空間への入り口とされ、開口部４９６には、必要に応じて入り口扉としての撮影入り口カーテン１２３が下ろされ、撮影空間と写真シール作成装置９１の外部とが仕切られている。
【０１７１】
すなわち、筐体４８１内部の上面４８１−５には、撮影入り口カーテン１２３などからなるカーテンユニット１２４が設けられている。カーテンユニット１２４は、撮影入り口カーテン１２３を下ろしたり、撮影入り口カーテン１２３を巻き上げてカーテンユニット１２４に格納したりする。
【０１７２】
また、正面４８１−１の中央に設けられた開口部４９７は、筐体４８１の内部に設けられた編集空間からの出口とされ、上面４８１−５の開口部４９７側に吊設されたカーテン１２５により、編集空間と写真シール作成装置９１の外部とが仕切られている。
【０１７３】
同様に、正面４８１−１の右側に設けられた開口部４９８は、筐体４８１の内部に設けられた編集空間からの出口とされ、上面４８１−５の開口部４９８側に設けられたカーテン１２６により、編集空間と写真シール作成装置９１の外部とが仕切られている。
【０１７４】
このように、写真シール作成装置９１においては、開口部４９６乃至開口部４９８、すなわち撮影空間への入り口と、編集空間からの出口が同一の方向を向くように正面４８１−１に設けられている。したがって、正面４８１−１、すなわち筐体４８１の１側面だけが開放されていれば写真シール作成装置９１を設置することができるので、写真シール作成装置９１を設置するために必要な設置空間をより狭くすることができる。その結果、設置空間の利用効率を向上させることができる。
【０１７５】
さらに、筐体４８１の内部には、筐体４８１の内部に設けられた撮影空間と、筐体４８１内部の図中、中央に設けられた編集空間とを仕切る仕切り４９９−１、および筐体４８１の内部の中央に設けられた編集空間と、筐体４８１内部の図中、右側に設けられた編集空間とを仕切る仕切り４９９−２が設けられている。なお、以下、仕切り４９９−１および仕切り４９９−２を個々に区別する必要のない場合、単に仕切り４９９と称する。
【０１７６】
また、筐体４８１の１側面だけが開放されている場合、撮影入り口カーテン１２３、カーテン１２５、およびカーテン１２６によって、開口部４９６乃至開口部４９８のそれぞれが完全に覆われてしまうと、撮影空間および編集空間が完全に外部から遮蔽されてしまい防犯上好ましくない。そこで、撮影空間および編集空間の内部が写真シール作成装置９１の外部からある程度見えるように、撮影入り口カーテン１２３、カーテン１２５、およびカーテン１２６の一部または全部において下部が開いていることが好ましい。
【０１７７】
図１６は、図１５に示した写真シール作成装置９１の筐体４８１の内部を上面４８１−５側から見た図である。なお、図１６において図１４および図１５における場合と対応する部分には同一の符号を付してあり、その説明は適宜省略する。
【０１７８】
図１６の例では、写真シール作成装置９１には、撮影空間５３１、互いに隣接して設けられている編集空間５３２−１および編集空間５３２−２、並びに廊下５３３が設けられている。
【０１７９】
すなわち、写真シール作成装置９１の背面４８１−３、正面４８１−１、左側面４８１−４、および仕切り４９９−１により囲まれる空間が撮影空間５３１とされている。また、撮影空間５３１に隣接し、正面４８１−１、編集空間５３２−１と廊下５３３とを仕切る仕切り５３４、仕切り４９９−１、および仕切り４９９−２により囲まれる空間が編集空間５３２−１とされており、正面４８１−１、仕切り５３４、右側面４８１−２、および仕切り４９９−２により囲まれる空間が編集空間５３２−２とされている。さらに、背面４８１−３、仕切り５３４、仕切り４９９−１、および右側面４８１−２により囲まれる空間が廊下５３３とされている。
【０１８０】
なお、以下、編集空間５３２−１および編集空間５３２−２を個々に区別する必要のない場合、単に編集空間５３２と称する。
【０１８１】
また、撮影空間５３１の正面４８１−１と仕切り４９９−１とが垂直に交わる部分、すなわち撮影空間５３１の図中、右下の端の部分には、筐体４３３が配置されている。筐体４３３には、カメラ１６２が撮影空間５３１の図中、左上の端の方向、すなわち撮影空間５３１における筐体４３３が配置されている位置と対角の位置の方向を向くように配置されている。また、筐体４３３の上面４８１−５側には、照明部１６１が設けられている。なお、撮影時に充分な光量が得られるように、上面４８１−５にも照明部１６１が設けられるようにしてもよい。
【０１８２】
このように、筐体４３３を撮影空間５３１の端に配置することで、撮影空間５３１における、利用者が撮影に利用できる空間をより広くすることができ、より多人数での撮影を行うことができる。
【０１８３】
また、撮影空間５３１における、筐体４３３が配置されている位置とは対角の位置、すなわち撮影空間５３１の図中、左上の端の部分には、背面４８１−３および左側面４８１−４と隣接してＬ字型の椅子４３４が配置されている。利用者は、椅子４３４に腰掛けて様々なポーズをとりながら撮影作業を行うことができる。また、カメラ１６２は、椅子４３４に座っている利用者を斜め上方から見下ろすように撮影できるため、カメラ１６２が筐体４３３における通常よりも高い位置、すなわち上面４８１−５により近い位置に配置されるようにしてもよい。
【０１８４】
編集空間５３２−１の仕切り４９９−１には、編集ユニット１６９−１が設けられており、編集ユニット１６９−１の正面、すなわち編集ユニット１６９−１と向かい合う位置に、プリンタ１７０−１が内蔵されている筐体１７１−１が配置されている。筐体１７１−１の開口部４９７側の側面には、シール紙排出口１７２−１が設けられている。
【０１８５】
同様に、編集空間５３２−２の仕切り４９９−２には、編集ユニット１６９−２が設けられており、編集ユニット１６９−２の正面、すなわち編集ユニット１６９−２と向かい合う位置に、プリンタ１７０−２が内蔵されている筐体１７１−２が配置されている。筐体１７１−２の開口部４９８側の側面には、シール紙排出口１７２−２が設けられている。
【０１８６】
このように、筐体１７１の編集空間５３２からの出口側の側面にシール紙排出口１７２を設けることで、利用者によるシール紙の取り出し作業の安全性が図れ、利用者は簡単にシール紙を取り出すことができる。さらに、シール紙排出口１７２を出口側の側面に設けることで、写真シール作成装置９１を管理する管理者のメンテナンス作業も行いやすくなる。
【０１８７】
また、筐体１７１は、編集ユニット１６９を利用して編集作業を行う利用者の椅子として用いられる。このように、筐体１７１を椅子として利用することで、利用者はくつろぎながら編集作業を行うことができる。
【０１８８】
さらに、編集ユニット１６９の筐体とは異なる筐体１７１を編集空間５３２内に設け、利用者の椅子として利用することで、筐体４３３、編集ユニット１６９の筐体、およびプリンタ１７０の筐体１７１のそれぞれを小さくすることができるので、写真シール作成装置９１の筐体４８１をより小さくすることができる。これにより、写真シール作成装置９１をより狭い設置空間に設置することができる。また、編集空間５３２をより広く利用することができ、利用者はより迅速に移動することができる。
【０１８９】
撮影空間５３１と廊下５３３とを仕切る仕切り４９９−１には、撮影空間５３１から廊下５３３への入り口としての開口部５３５が設けられている。また、上面４８１−５からはカーテン５３６が吊設され、開口部５３５の位置において、撮影空間５３１と廊下５３３とがカーテン５３６により仕切られている。ここで、開口部４９６と開口部５３５とは、撮影空間５３１の互いに対角する位置に設けられている。
【０１９０】
このように、撮影空間５３１から廊下５３３への入り口、すなわち撮影空間５３１からの出口として１つの開口部５３５を設けることによって、撮影空間からの出口が複数ある場合と比べて、利用者はどこを通って編集空間５３２に移動すればよいのかを簡単に知ることができる。
【０１９１】
また、廊下５３３の仕切り５３４と対向する側面、すなわち背面４８１−３には、タッチパネルが重畳されているモニタ５３７が設けられている。モニタ５３７は、編集作業をするために廊下で待機している利用者に対して、撮影画像の閲覧やミニゲーム等を行う接客処理を行う。
【０１９２】
すなわち、撮影作業が終了した利用者は、編集空間５３２−１および編集空間５３２−２が他の利用者により使用されている場合、モニタ５３７を利用して、編集の対象となる撮影画像を事前に閲覧したり、ミニゲームを行ったりすることができる。例えば、利用者は、ゲームに勝つとお得感のある特別なスタンプやペンといった編集アイテムを編集作業で利用できるようになる。
【０１９３】
また、廊下５３３と編集空間５３２とを仕切る仕切り５３４には、廊下５３３から編集空間５３２−１への入り口としての開口部５３８−１が設けられている。また、上面４８１−５からはカーテン５３９−１が吊設され、開口部５３８−１の位置において、廊下５３３と編集空間５３２−１とがカーテン５３９−１により仕切られている。さらに、仕切り５３４の開口部５３８−１の付近には、案内灯１６８−１が設けられている。
【０１９４】
同様に、仕切り５３４には、廊下５３３から編集空間５３２−２への入り口としての開口部５３８−２が設けられている。また、上面４８１−５からはカーテン５３９−２が吊設され、開口部５３８−２の位置において、廊下５３３と編集空間５３２−２とがカーテン５３９−２により仕切られている。さらに、仕切り５３４の開口部５３８−２の付近には、案内灯１６８−２が設けられている。
【０１９５】
ここで、開口部５３８−１と開口部５３８−２とは、同一方向を向くように仕切り５３４に設けられている。また、カーテン５３９−１およびカーテン５３９−２によって、開口部５３８−１および開口部５３８−２が完全に覆われてしまうと、廊下５３３または編集空間５３２が隣接する他の空間から遮蔽されてしまい防犯上好ましくない。
【０１９６】
そこで、廊下５３３または編集空間５３２の内部が他の空間からもある程度見えるように、カーテン５３９−１およびカーテン５３９−２の一部または全部において下部が開いていることが好ましい。同様に、カーテン５３６も廊下５３３または撮影空間５３１の内部が他の空間からもある程度見えるように下部が開いていることが好ましい。
【０１９７】
なお、以下、開口部５３８−１および開口部５３８−２を個々に区別する必要のない場合、単に開口部５３８と称する。また、以下、カーテン５３９−１およびカーテン５３９−２を個々に区別する必要のない場合、単にカーテン５３９と称する。また、上面４８１−５に、カーテン５３６またはカーテン５３９を格納するカーテンユニットを設け、カーテン５３６またはカーテン５３９を自動昇降式のカーテンとするようにしてもよい。
【０１９８】
また、図中、点線５４０−１および点線５４０−２は、カメラ１６２の画角を表しており、図中、点線５４０−１の上側、かつ点線５４０−２の左側の領域の画像がカメラ１６２により撮影される。そこで、廊下５３３への入り口としての開口部５３５に設けられたカーテン５３６、および撮影空間５３１の入り口に設けられた撮影入り口カーテン１２３は、カメラ１６２の画角の外側、すなわちカメラ１６２により撮影された画像に写らない位置に設けられることが好ましい。
【０１９９】
例えば、カーテン５３６または撮影入り口カーテン１２３がカメラ１６２の画角の内側にある場合、カーテン５３６または撮影入り口カーテン１２３の撮影空間５３１側の面には、クロマキ用合成加工が施されるようにし、クロマキ合成処理において他の画像が合成される領域とされる。
【０２００】
ところで、撮影空間５３１において利用者により撮影作業が行われていない場合、撮影空間５３１の入り口に設けられている撮影入り口カーテン１２３は、カーテンユニット１２４に格納されている。
【０２０１】
撮影入り口カーテン１２３がカーテンユニット１２４に格納されている状態において、利用者が図１６に示した写真シール作成装置９１を利用して写真シール作成ゲームを行う場合、利用者は、入り口としての開口部４９６から撮影空間５３１に入場し、硬貨を硬貨投入排出口１６６に投入する。
【０２０２】
すると、写真シール作成装置９１は、図１２を参照して説明した写真シール作成ゲーム処理を開始する。すなわち、硬貨投入排出口１６６に硬貨が投入されると、撮影入り口カーテン１２３が下ろされて、撮影空間５３１への入りが閉じられ、利用者は、椅子４３４を利用して、カメラ１６２の方向を向いて所望のポーズをとり撮影作業を開始する。
【０２０３】
撮影作業が終了すると、撮影表示部１６４には、編集空間５３２への移動を促す移動案内画面が表示されるので、利用者はその移動案内画面や案内灯１６８の点灯による案内にしたがって、廊下５３３への入り口としての開口部５３５を通り、廊下５３３に出る。さらに利用者は、廊下５３３から編集空間５３２への入り口としての開口部５３８を通り、編集空間５３２−１または編集空間５３２−２へと移動する。
【０２０４】
移動案内画面が表示されると、撮影入り口カーテン１２３は巻き上げられてカーテンユニット１２４に格納され、撮影空間５３１への入り口は開かれる。また、編集空間５３２に移動した利用者は、編集ユニット１６９を利用して編集作業を行い、筐体１７１に設けられたシール紙排出口１７２からシール紙が排出されると、シール紙を受け取って、編集空間５３２からの出口としての開口部４９７または開口部４９８を通って編集空間５３２から退出する。
【０２０５】
このように、写真シール作成装置９１においては、利用者は撮影空間５３１に入場し、ゲームが終了して編集空間５３２から退出するまで、写真シール作成装置９１の外部に出ることがないため、撮影空間から編集空間に移動するときに、一旦、写真シール作成装置の外部に出なければならない場合と比べて、利用者の移動動線を短縮することができ、利用者はより迅速に他の空間へと移動することができる。これにより、利用者の回転率を向上させることができる。
【０２０６】
また、利用者は、撮影空間５３１に入場してから写真シール作成ゲームが終了するまで写真シール作成装置９１の外部に出る必要がないので、ゲームの流れが中断されることがなくなり、利用者はゲームの流れの一貫性を感じることができる。
【０２０７】
さらに、プリンタ１７０を編集空間５３２内に配置し、利用者がシール紙を編集空間５３２内において受け取ることができるようにしたので、写真シール作成装置９１の外部において、シール紙の印刷を待つ利用者が滞留することを防止することができる。
【０２０８】
なお、以上においては、プリンタ１７０が、編集ユニット１６９の筐体およびカメラ１６２等が設けられた筐体４３３とは異なる筐体１７１に設けられると説明したが、プリンタ１７０が、編集ユニット１６９の筐体または筐体４３３に設けられるようにしてもよい。
【０２０９】
以上のように、カメラなどの撮影に用いられる構成が設けられた筐体、および編集ユニットの筐体とは、異なる筐体を編集空間内に設け、その筐体内にプリンタを配置することによって、写真シール作成装置の筐体をより小さくすることができ、写真シール作成装置をより狭い設置空間に設置することができる。また利用者は、編集空間をより広く利用することができ、その結果より迅速に移動することができる。
【０２１０】
なお、以上において、印刷媒体は、シール紙に限られるものではなく、例えば、所定のサイズの紙や、ポスター用の紙、テレホンカードなどのカード、あるいは、Ｔシャツなどの布地などに印刷するようにしてもよい。
【０２１１】
また、本発明の実施の形態は、上述した実施の形態に限定されるものではなく、本発明の要旨を逸脱しない範囲において種々の変更が可能である。
【図面の簡単な説明】
【０２１２】
【図１】従来の写真シール作成装置の撮影空間、編集空間、および印刷空間の配置を示す図である。
【図２】従来の写真シール作成装置の撮影空間、編集空間、および印刷空間の配置を示す図である。
【図３】従来の写真シール作成装置の撮影空間および編集空間の配置を示す図である。
【図４】従来の写真シール作成装置の撮影空間、編集空間、および印刷空間の配置を示す図である。
【図５】本発明を適用した写真シール作成装置の外観構成例を示す斜視図である。
【図６】写真シール作成装置の外観構成例を示す斜視図である。
【図７】写真シール作成装置の外観構成例を示す斜視図である。
【図８】編集ユニットの構成例を示す図である。
【図９】プリンタが内蔵された筐体の固定方法を説明する図である。
【図１０】写真シール作成装置の筐体の内部を上面から見た図である。
【図１１】写真シール作成装置の機能の構成例を示すブロック図である。
【図１２】写真シール作成ゲーム処理を説明するフローチャートである。
【図１３】写真シール作成装置の他の外観構成例を示す斜視図である。
【図１４】写真シール作成装置の筐体の内部を上面から見た図である。
【図１５】写真シール作成装置の他の外観構成例を示す斜視図である。
【図１６】写真シール作成装置の筐体の内部を上面から見た図である。
【符号の説明】
【０２１３】
９１  写真シール作成装置
１１１  筐体
１２０  開口部
１２１  開口部
１２２  開口部
１２３  撮影入り口カーテン
１６２  カメラ
１６３  取り込み画像表示部
１６４  撮影表示部
１６７−１  仕切り
１６７−２  仕切り
１６９−１  編集ユニット
１６９−２  編集ユニット
１７０−１  プリンタ
１７０−２  プリンタ
１７１−１  筐体
１７１−２  筐体
２９１  撮影空間
２９２−１  編集空間
２９２−２  編集空間
３８１  筐体
３９６  開口部
３９７  開口部
３９８  開口部
３９９−１  仕切り
３９９−２  仕切り
４３１  撮影空間
４３２−１  編集空間
４３２−２  編集空間
４３３  筐体
４３５−１  開口部
４３５−２  開口部
４８１  筐体
４９６  開口部
４９７  開口部
４９８  開口部
４９９−１  仕切り
４９９−２  仕切り
５３１  撮影空間
５３２−１  編集空間
５３２−２  編集空間
５３３  廊下
５３４  仕切り
【図１】
2007328230.tif 000003
【図２】
2007328230.tif 000004
【図３】
2007328230.tif 000005
【図４】
2007328230.tif 000006
【図５】
2007328230.tif 000007
【図６】
2007328230.tif 000008
【図７】
2007328230.tif 000009
【図８】
2007328230.tif 000010
【図９】
2007328230.tif 000011
【図１０】
2007328230.tif 000012
【図１１】
2007328230.tif 000013
【図１２】
2007328230.tif 000014
【図１３】
2007328230.tif 000015
【図１４】
2007328230.tif 000016
【図１５】
2007328230.tif 000017
【図１６】
2007328230.tif 000018